(57)【要約】【課題】  サムネイル画像の表示にかかる時間を短縮でき、かつ目的とする画像を絞り込むことに適した画像表示装置を提供する。【解決手段】  サムネイル画像を一覧表示する機能を持った画像表示装置において、ディスプレイ１０１上に表示されている画像を制御するためのシフトキー１０３等、操作信号の入力頻度を判定するキー入力監視部３０２、判定された入力頻度に基づいてディスプレイ１０１に表示されるサムネイル画像のランクを変更するページレイアウト部３０５を備え、ユーザの操作頻度によって操作状態を推定し、この推定に基づいてユーザの操作に適したサムネイル画像を表示する。【選択図】  図３
2007025016.tif 000002
【特許請求の範囲】
【請求項１】
表示対象となる表示対象画像を加工して得られるサムネイル画像をディスプレイ画面に同時に複数表示する一覧表示機能を持った画像表示装置であって、
前記ディスプレイ画面上に表示されている画像を制御するための操作信号を入力する信号入力手段と、
前記信号入力手段を使って入力される操作信号の入力頻度を判定する入力頻度判定手段と、
前記入力頻度判定手段によって判定された入力頻度に基づいて、前記ディスプレイ画面に表示されるサムネイル画像を変更するサムネイル画像変更手段と、
を備えることを特徴とする画像表示装置。
【請求項２】
前記信号入力手段は、前記ディスプレイ画面上に表示されたカーソルを移動するシフトキーを含み、
サムネイル画像が前記表示対象画像に縮小を含む処理をして生成され、
前記サムネイル画像変更手段は、前記シフトキーの操作によって入力される操作信号の入力頻度が前記入力頻度判定手段によってより高いと判定された場合、表示対象画像をより高い縮小率で縮小したサムネイル画像を前記ディスプレイ画面上に表示すると共に、前記シフトキーの操作によって入力される操作信号の入力頻度が前記入力頻度判定手段によってより低いと判定された場合、表示対象画像をより低い縮小率で縮小したサムネイル画像を前記ディスプレイ画面上に表示することを特徴とする請求項１に記載の画像表示装置。
【請求項３】
前記入力頻度判定手段は、操作信号の入力頻度を、操作信号が入力される時間間隔によって判定し、時間間隔がより短い場合により操作頻度がより高い、時間間隔がより長い場合により操作頻度がより低いと判定することを特徴とする請求項１または２に記載の画像表示装置。
【請求項４】
表示対象画像に縮小を含む処理をしてサムネイル画像を生成するサムネイル画像生成手段を備え、前記サムネイル画像変更手段は、前記入力頻度判定手段によって判定された入力頻度に基づいて前記サムネイル画像生成手段によって行われる縮小処理の縮小倍率を変更することを特徴とする請求項１から３のいずれか１項に記載の画像表示装置。
【請求項５】
表示対象画像に縮小率が異なる縮小処理を含む処理をして生成されたサムネイル画像を保存するサムネイル画像保存手段を備え、前記サムネイル画像変更手段は、前記サムネイル画像保存手段に保存されているサムネイル画像のうち、前記入力頻度判定手段によって判定された入力頻度に対応する縮小率で縮小されたサムネイル画像を前記ディスプレイ画面上に表示することを特徴とする請求項１から４のいずれか１項に記載の画像表示装置。
【請求項６】
前記入力頻度判定手段によって操作信号の入力頻度が所定の頻度に達したと判定された場合、該所定の頻度で操作信号が連続して入力される時間を計時する連続入力時間計時手段を備え、前記サムネイル画像変更手段は、前記連続入力時間計時手段による計時時間が所定の時間に達した場合に前記ディスプレイ画面に表示されるサムネイル画像を変更することを特徴とする請求項１から５のいずれか１項に記載の画像表示装置。
【請求項７】
連続入力時間計時手段は、操作信号が入力される時間間隔がより長くなったことによって操作信号の入力頻度が所定の頻度に達したと判定された場合と、操作信号が入力される時間間隔がより短くなったことによって操作信号の入力頻度が所定の頻度に達したと判定された場合とのいずれか一方においてのみ操作信号が連続して入力される時間を計時することを特徴とする請求項３から６のいずれか１項に記載の画像表示装置。
【請求項８】
前記入力頻度判定手段は、サムネイル画像の表示開始または前記サムネイル画像変更手段によるサムネイル画像変更後、所定の時間内は操作信号の入力頻度の判定を停止することを特徴とする請求項１から７のいずれか１項に記載の画像表示装置。
【請求項９】
表示対象となる表示対象画像を加工して得られるサムネイル画像をディスプレイ画面に同時に複数表示する一覧表示機能を持った画像表示装置に適用される画像表示方法をコンピュータに実行させるためのプログラムであって、
前記ディスプレイ画面上に表示されている画像を制御するための操作信号を入力する信号入力ステップと、
前記信号入力ステップにおいて入力される操作信号の入力頻度に基づいて、前記ディスプレイ画面に表示されるサムネイル画像を変更するサムネイル画像変更ステップと、
を含むことを特徴とする画像表示方法をコンピュータに実行させるためのプログラム。
【発明の詳細な説明】
【技術分野】
【０００１】
本発明は、画像表示装置及び画像表示方法をコンピュータに実行させるためのプログラムに係り、特にサムネイル画像の表示機能を持った画像表示装置及び画像表示方法をコンピュータに実行させるためのプログラムに関する。
【背景技術】
【０００２】
画像のビューアとして使用可能な画像表示装置には、装置本体またはメモリカード等記録媒体に保存されている複数の画像を縮小して一覧表示する機能を備えたものが多くある。このような縮小画像は、サムネイル画像と呼ばれている。サムネイル画像を表示する機能を持った画像表示装置では、表示されているサムネイル画像をユーザに選択させ、選択されたサムネイル画像の基となった画像（オリジナル画像）をディスプレイ画面に表示するものが多くある。
【０００３】
このような画像表示装置によれば、ユーザは、保存されている画像を短時間のうちに把握し、このうち表示したい画像だけを簡易に表示することができる。このような従来技術としては、例えば、特許文献１、特許文献２が掲げられる。特許文献１は、画像表示装置がオリジナル画像を読み込んだときにサムネイル画像を生成し、生成されたサムネイル画像を１ページに表示する。
【０００４】
ただし、特許文献１では、読み込まれるオリジナル画像の数によってはサムネイル画像が１ページに表示できない場合がある。このような場合、ユーザは、サムネイル画像が表示されるページを切替える（ページをめくる）操作をする必要がある。
サムネイル画像の切り替えは、オリジナル画像の読み出し及びサムネイル画像の生成処理のため時間を要する。このため、ユーザは、ページめくりの操作から次ページのサムネイル画像が表示されるまで待たされることになる。
【０００５】
特許文献２は、表示されるサムネイル画像の切り替えを不要にし、より短時間のうちにサムネイル画像を表示するため、必要に応じてサムネイル画像のコマ番号だけを表示するものである。
【特許文献１】米国特許  Patent Number  ４８２１１２１
【特許文献２】特開  ２０００−２３２５９５号公報
【発明の開示】
【発明が解決しようとする課題】
【０００６】
ところで、多くのオリジナル画像からサムネイル画像を使って目的とするオリジナル画像を選択する方法においては、サムネイル画像の記録日時や記録順序、さらには表題といった情報から目的画像を絞り込むことが有効である。
しかしながら、特許文献１の発明は、サムネイル画像の絞込み用のツールがなく、サムネイル画像を検索するためには、記録日時や表題の条件を設定するツールを付加することが必要になる。一方、特許文献２の発明は、サムネイル画像の表示に係る時間を短縮したものの、サムネイル画像のコマ番号のみを表示するモードにあってはサムネイルを絞り込むための情報が特許文献１よりも少なくなる。
【０００７】
本発明は、このような点に鑑みてなされたものであり、サムネイル画像の表示にかかる時間を短縮でき、かつ目的とする画像を絞り込むことに適した画像表示装置及び画像表示方法をコンピュータに実行させるためのプログラムを提供することを目的とする。
【課題を解決するための手段】
【０００８】
以上の課題を解決するため、本発明の画像表示装置は、表示対象となる表示対象画像を加工して得られるサムネイル画像をディスプレイ画面に同時に複数表示する一覧表示機能を持った画像表示装置であって、前記ディスプレイ画面上に表示されている画像を制御するための操作信号を入力する信号入力手段と、前記信号入力手段を使って入力される操作信号の入力頻度を判定する入力頻度判定手段と、前記入力頻度判定手段によって判定された入力頻度に基づいて、前記ディスプレイ画面に表示されるサムネイル画像を変更するサムネイル画像変更手段と、を備えることを特徴とする。
【０００９】
このような発明によれば、ディスプレイ画面上に表示されている画像を制御するための操作信号を入力し、操作信号の入力頻度に基づいて、ディスプレイ画面に表示されるサムネイル画像を変更することができる。このため、ユーザが頻繁にディスプレイを操作したことにより、ユーザの操作が未だ目的のサムネイル画像を絞り込める段階にないことを自動的に推定できる。また、ユーザの操作の頻度が低下したことにより、ユーザが目的のサムネイル画像を絞り込み、慎重にキーを操作していることが推定できる。そして、このような推定に基づいて、ディスプレイ画面に表示されるサムネイル画像を変更することによってユーザのキー操作に適したサムネイル画像をディスプレイ画面に表示することができる。
【００１０】
このような本発明は、ユーザの操作効率を高めることができるので、サムネイル画像の表示にかかる時間を短縮でき、かつ目的画像を絞り込むことに適した画像表示装置を提供することができる。
また、本発明の画像表示装置は、前記信号入力手段が、前記ディスプレイ画面上に表示されたカーソルを移動するシフトキーを含み、サムネイル画像が前記表示対象画像に縮小を含む処理をして生成され、前記サムネイル画像変更手段は、前記シフトキーの操作によって入力される操作信号の入力頻度が前記入力頻度判定手段によってより高いと判定された場合、表示対象画像をより高い縮小率で縮小したサムネイル画像を前記ディスプレイ画面上に表示すると共に、前記シフトキーの操作によって入力される操作信号の入力頻度が前記入力頻度判定手段によってより低いと判定された場合、表示対象画像をより低い縮小率で縮小したサムネイル画像を前記ディスプレイ画面上に表示することを特徴とする。
【００１１】
このような発明によれば、ディスプレイ画面上に表示されたカーソルがより高速で移動している場合、より高い縮小率で縮小されたサムネイル画像を表示することができる。カーソルの移動速度が高いとき、ユーザが表示すべきサムネイル画像を絞込めていない可能性が高い。このことから、本発明は、サムネイル画像の絞込みが未だなされていない状況にあってはより多くのサムネイル画像を表示し、サムネイル画像のユーザによる絞込みをし易くすることができる。
【００１２】
また、表示すべきサムネイル画像の候補が絞り込めてきた場合、カーソルの移動速度が低下する可能性が高い。このことから、本発明は、サムネイル画像の絞込みがなされた状況にあってはサムネイル画像をより詳細に表示し、サムネイル画像のユーザによる選択をし易くすることができる。
また、本発明の画像表示装置は、前記入力頻度判定手段が、操作信号の入力頻度を、操作信号が入力される時間間隔によって判定し、時間間隔がより短い場合により操作頻度がより高い、時間間隔がより長い場合により操作頻度がより低いと判定することを特徴とする。
【００１３】
このような発明によれば、比較的簡易に操作信号の入力頻度を判定することができる。
また、本発明の画像表示装置は、表示対象画像に縮小を含む処理をしてサムネイル画像を生成するサムネイル画像生成手段を備え、前記サムネイル画像変更手段は、前記入力頻度判定手段によって判定された入力頻度に基づいて前記サムネイル画像生成手段によって行われる縮小処理の縮小倍率を変更することを特徴とする。
【００１４】
このような発明によれば、入力頻度に基づく縮小倍率でサムネイル画像を保存しておく必要がなく、サムネイル画像保存にかかる画像表示装置やカードメディアのメモリ容量を小さくすることができる。
また、本発明の画像表示装置は、表示対象画像に縮小率が異なる縮小処理を含む処理をして生成されたサムネイル画像を保存するサムネイル画像保存手段を備え、前記サムネイル画像変更手段が、前記サムネイル画像保存手段に保存されているサムネイル画像のうち、前記入力頻度判定手段によって判定された入力頻度に対応する縮小率で縮小されたサムネイル画像を前記ディスプレイ画面上に表示することを特徴とする。
【００１５】
このような発明によれば、表示対象画像を読み込んでサムネイル画像を生成する処理が必要なく、より短時間のうちにサムネイル画像を表示することができる。
また、本発明の画像表示装置は、前記入力頻度判定手段によって操作信号の入力頻度が所定の頻度に達したと判定された場合、該所定の頻度で操作信号が連続して入力される時間を計時する連続入力時間計時手段を備え、前記サムネイル画像変更手段は、前記連続入力時間計時手段による計時時間が所定の時間に達した場合に前記ディスプレイ画面に表示されるサムネイル画像を変更することを特徴とする。
【００１６】
このような発明によれば、誤操作等によって操作信号の入力頻度が所定の頻度に達した場合、ユーザが意図することなくディスプレイ画面に表示されているサムネイル画像が変更されることをなくし、画像表示装置の操作性を高めることができる。
また、本発明の画像表示装置は、連続入力時間計時手段は、操作信号が入力される時間間隔がより長くなったことによって操作信号の入力頻度が所定の頻度に達したと判定された場合と、操作信号が入力される時間間隔がより短くなったことによって操作信号の入力頻度が所定の頻度に達したと判定された場合とのいずれか一方においてのみ操作信号が連続して入力される時間を計時することを特徴とする。
【００１７】
このような発明によれば、操作信号が入力される時間間隔がより長くなった場合と短くなった場合とを識別し、ユーザの操作の意図をより詳細に推定することができる。このため、ユーザの意図をより正確に推定し、ユーザの操作の効率を高めることができる。
また、本発明の画像表示装置は、前記入力頻度判定手段が、サムネイル画像の表示開始または前記サムネイル画像変更手段によるサムネイル画像変更後、所定の時間内は操作信号の入力頻度の判定を停止することを特徴とする。
【００１８】
このような発明によれば、サムネイル画像の変更によってユーザの操作頻度が低下した場合、ディスプレイ画面に表示されているサムネイル画像が変更されることをなくし、画像表示装置の操作性を高めることができる。
また、本発明の画像表示方法をコンピュータに実行させるためのプログラムは、表示対象となる表示対象画像を加工して得られるサムネイル画像をディスプレイ画面に同時に複数表示する一覧表示機能を持った画像表示装置に適用される画像表示方法をコンピュータに実行させるためのプログラムであって、前記ディスプレイ画面上に表示されている画像を制御するための操作信号を入力する信号入力ステップと、前記信号入力ステップにおいて入力される操作信号の入力頻度に基づいて、前記ディスプレイ画面に表示されるサムネイル画像を変更するサムネイル画像変更ステップと、を含むことを特徴とする。
【００１９】
このような発明によれば、ディスプレイ画面上に表示されている画像を制御するための操作信号を入力し、操作信号の入力頻度に基づいて、ディスプレイ画面に表示されるサムネイル画像を変更することができる。このため、ユーザが頻繁にディスプレイを操作したことにより、ユーザの操作が未だ目的のサムネイル画像を絞り込める段階にないことを自動的に推定できる。また、ユーザの操作の頻度が低下したことにより、ユーザが目的のサムネイル画像を絞り込み、慎重にキーを操作していることが推定できる。そして、このような推定に基づいて、ディスプレイ画面に表示されるサムネイル画像を変更することによってユーザのキー操作に適したサムネイル画像をディスプレイ画面に表示することができる。
【００２０】
このような本発明は、ユーザの操作効率を高めることができるので、サムネイル画像の表示にかかる時間を短縮でき、かつ目的画像を絞り込むことに適した画像表示方法をコンピュータに実行させるためのプログラムを提供することができる。
【発明を実施するための最良の形態】
【００２１】
以下、図を参照して本発明に係る画像表示装置及び画像表示方法をコンピュータに実行させるためのプログラムの一実施形態を説明する。
図１は、本発明の画像表示装置の一実施形態の構成を説明するための図である。なお、本実施形態では、画像表示装置を、コンテンツあるいは複数ページを含む電子書籍等のビューアとして構成するものとする。そして、本実施の画像表示装置は、ビューアとしての表示対象となる表示対象画像を加工して得られるサムネイル画像をディスプレイ画面に同時に複数表示する一覧表示機能を持っている。なお、本実施形態では、表示対象画像を、サムネイル画像加工前の画像であることから以降はオリジナル画像と記す。
【００２２】
図１に示すように、本実施形態の画像表示装置は、本体１０５と、本体１０５に取り付けられるカードメディア２０８とでなる。本実施形態では、カードメディア２０８に複数ページで構成される電子ブックのデータが保存されているものとする。画像表示装置は、カードメディア２０８に保存されている電子ブックのデータを読み出し、電子ブックの各ページをディスプレイ１０１に表示することができる。
【００２３】
画像表示装置の本体１０５は、ディスプレイ１０１を備え、ディスプレイ１０１上に電子ブックの１ページの画像を表示できる。１ページ分の画像（ページ画像）には、テキスト１０６、図形や写真等のテキスト以外の図画１０７が含まれる。また、画像表示装置は、ディスプレイ１０１にサムネイル画像が表示された場合、サムネイル画像を指定するためのカーソルを移動させるシフトキー１０３、シフトキー１０３によるサムネイル画像の指定を確定するための決定キー１０４を備えている。
【００２４】
図２は、電子ブックを例にしたサムネイル画像を説明するための図である。図示したサムネイル画像は、ページ画像の各々をオリジナル画像にし、オリジナル画像に縮小を含む処理を施すことによって生成されている。図２（ａ）、（ｂ）、（ｃ）に示したサムネイル画像を一覧表示する画面（一覧画面）は、各々縮小処理の縮小率が異なるサムネイル画像を表示するものである。
【００２５】
すなわち、図２（ａ）、（ｂ）、（ｃ）に示した一覧画面のうち、（ａ）に示した一覧画面は、最も縮小率が高い、最もサイズが小さいサムネイル画像を表示する。このため、最も多くのサムネイル画像を同時に表示できるので、より多くのサムネイル画像を一度に見たい場合には効果的である。このような効果を、本実施形態では一覧性が高いと記す。ただし、各サムネイル画像を詳細に見たいという要望に応えることに不向きであって、本実施形態は、このようなサムネイル画像の特性を詳細度が低いとも記す。本実施形態では、（ａ）に示した一覧画面を、ランクＡの一覧画面と記す。
【００２６】
図２（ａ）に示したカーソル１０９は、サムネイル画像を囲む枠線の形状を有し、囲まれたサムネイル画像が指定されていることを表している。カーソル１０９は、シフトキー１０３の押下された上下左右の部分に沿う方向にサムネイル画像１つ分移動する。
また、（ｂ）に示した一覧画面は、（ａ）に示した一覧画面よりも低い縮小率で縮小されたサムネイル画像を表示する。このため、（ａ）に示した一覧画面よりも一覧性が低いものの、表示されるサムネイル画像の詳細度は高めることができる。本実施形態では、（ｂ）に示した一覧画面を、ランクＢの一覧画面と記す。
【００２７】
さらに、（ｃ）に示した一覧画面は、（ａ）、（ｂ）、（ｃ）に示した一覧画面のうち最も低い縮小率で縮小されたサムネイル画像を表示し、サイズが最も大きいサムネイル画像を表示する。このため、一覧性は最も低いものの、最も詳細度が高いサムネイル画像を表示することができる。本実施形態では、（ｃ）に示した一覧画面を、ランクＣの一覧画面と記す。
【００２８】
なお、サムネイル画像を縮小する処理は、ページ画像のテキストや図表を同じ縮小率で縮小するものに限定されるものではない。例えば、ページ画像のうちのテキストを単に線等で表し、図表等ページ画像の特徴的な部分を比較的大きく表示するように処理してもよい。このように処理することにより、本実施形態では、一覧性の高い一覧画面において個々のサムネイル画像を識別しやすくすることができる。
【００２９】
また、ページ画像の特徴的な部分とは、図表等に限定されるものでなく、見出し等の文字サイズの異なるテキスト等であってもよい。
また、本実施形態は、前記したシフトキー１０３、決定キー１０４を信号入力手段として用い、操作信号の入力頻度に基づいてディスプレイ１０１に表示されるサムネイル画像を変更する。
【００３０】
すなわち、本実施形態の画像表示装置は、ディスプレイ１０１上に表示されたカーソル１０９をシフトキー１０３によって移動する。シフトキー１０３は、十字キーになっていて、カーソル１０９を左右、上下方向のいずれにも移動させることができる。そして、ユーザが決定キー１０４を押下したとき、シフトキー１０３によって移動されたカーソル１０９を含む範囲に表示されているサムネイル画像の基となったオリジナル画像を表示することができる。
【００３１】
本実施形態では、サムネイル画像の総数によって一覧画面を複数生成する必要が生じる。本実施形態では、シフトキー１０３を使ってカーソル１０９を移動させ、現在表示されている一覧画面の前に表示された一覧画面（前画面）、現在表示されている一覧画面の次に表示される画面（次画面）を表示する。
すなわち、図２に示したように、一覧画面には、縦方向、横方向の各々に複数のサムネイル画像が表示される。例えば、図２（ａ）の一覧画面に表示されているサムネイル画像のうち、左上端にあるサムネイル画像ｐ上にカーソル１０９を表示させ、さらに図中の左方向にカーソル１０９を移動させるようにシフトキー１０３を操作すると、画像表示装置は、前画面をディスプレイ１０１に表示する。
【００３２】
また、右下端にあるサムネイル画像ｑ上にカーソル１０９を表示させ、さらに図中の右方向にカーソル１０９を移動させるようにシフトキー１０３を操作すると、画像表示装置は、次画面をディスプレイ１０１に表示する。
なお、本実施形態では、サムネイル画像のオリジナル画像がディスプレイ１０１に表示されている場合、十字キー１０３の左または右のキーを押下するごとにオリジナル画像が前ページまたは後ページに切替わる。
【００３３】
以上のように設定された画像表示装置において、本実施形態は、シフトキー１０３等のキーによる操作信号の入力頻度によってユーザの状態を推定するものである。
すなわち、画像表示装置は、各ページ画像をオリジナル画像にして生成されたサムネイル画像を複数同時に表示して一覧画面とし、カーソル１０９と共にユーザに対して表示する。ユーザは、サムネイル画像を検索し、表示させたいページ画像をオリジナル画像として生成されたサムネイル画像が表示されている一覧画面をディスプレイ１０１に表示させる。
【００３４】
次に、ユーザは、表示されたページにおいてシフトキー１０３を操作してカーソル１０９を表示させたいページ画像のサムネイル画像上に表示させて決定キー１０４を押下する。決定キー１０４が押下されたことにより、押下時にカーソル１０９下に表示されていたサムネイル画像のオリジナル画像がディスプレイ１０１に表示される。
以上の動作において、ユーザは、一覧画面を閲覧し、表示したいページ画像のサムネイル画像が表示されていないと判断した場合、上記したようにシフトキー１０３を操作し、左上端にあるサムネイル画像または右下端にあるサムネイル画像上にカーソル１０９を移動させる。そして、さらにカーソルを左または右に移動するよう操作して他の一覧画面を表示させる。
【００３５】
このような場合、ユーザは、表示させたいオリジナル画像に対応するサムネイル画像（目的のサムネイル画像）が表示された一覧画面を早く表示させるため、シフトキー１０３を比較的短い時間間隔で、かつ連続して押下する傾向がある。
このような傾向から、本実施形態では、シフトキー１０３が比較的短い時間間隔で押下される場合、目的のサムネイル画像が表示される一覧画面が表示されていないものと解釈する。そして、このような場合には、例えばランクＡの一覧性表示画面のように一覧性の高い一覧画面を表示し、１ページにより多くのサムネイル画像が表示されるようにする。このような処理によれば、少ない操作回数で目的のサムネイル画像が表示されている一覧性表示画面をより早く表示することができる。
【００３６】
また、ユーザは、目的のサムネイル画像が表示された一覧画面が表示された場合、この一覧画面を切替えることなく、一覧画面のうち目的のページ画像のサムネイル画像を検索する。そして、サムネイル画像を特定し、シフトキー１０３を操作してこのサムネイル画像に向けてカーソル１０９を移動させる。
また、ユーザは、サムネイル画像を早く選択するため、カーソル１０９が目的のサムネイル画像と離れた位置に表示されているほど高速にカーソル１０９を移動する傾向がある。本実施形態のシフトキー１０３は、1回押下するごとに押下された十字キーの方向にあるサムネイル画像を指し示すようにカーソルを移動させる。このため、高速にカーソル１０９を移動させる場合、ユーザは、シフトキー１０３を比較的短い時間間隔で、かつ連続して押下することになる。”
このような傾向から、本実施形態では、キーが比較的短い時間間隔で押下される場合、目的のサムネイル画像が表示されている一覧性表示画面が表示されている場合にあっても、このサムネイル画像の近くにカーソル１０９が表示されていないと解釈する。そして、このような場合には、比較的一覧性の高い一覧画面を表示する。このような処理によれば、少ない操作回数で目的のサムネイル画像近くにカーソル１０９を表示することができる。
【００３７】
なお、目的のサムネイル画像が表示されている一覧性表示画面上でカーソル１０９を移動する場合、ユーザは、カーソル１０９が目的のサムネイル画像に近くなるほどカーソル１０９の移動速度を抑える傾向がある。このような傾向は、カーソル１０９が目的のサムネイル画像から外れた位置に表示されることを防ごうとするユーザの心理によって生じるものである。
【００３８】
このような観点から、本実施形態では、キーが比較的長い時間間隔で押下される場合、目的のサムネイル画像近くにカーソル１０９が表示されている、つまりサムネイル画像が絞り込めた状態にあると解釈する。そして、このような場合には、詳細性の高い一覧画面を表示する。
図３は、このような動作を実現するための本実施形態の画像表示装置の構成を説明するための機能ブロック図である。図示した構成は、シフトキー１０３等のキー入力によって入力される操作信号を受け付けるキー入力受付部３０１、キー入力受付部３０１が受け付けた操作信号の入力の頻度を操作信号が入力される時間間隔（以降、キー入力間隔と記す）によって判定するキー入力間隔監視部３０２を備えている。このようなキー入力間隔監視部３０２は、本実施形態の入力頻度判定手段として機能する。
【００３９】
なお、キー入力間隔監視部３０２はキー入力間隔がより短い場合により操作頻度がより高い、キー入力間隔がより長い場合により操作頻度がより低いと判定している。
また、画像表示装置は、一覧画面のランクやレイアウト、一覧画面の切り替え等を制御するページレイアウト部３０５を備えている。ページレイアウト部３０５は、シフトキー１０３の操作によって入力される操作信号の入力頻度がより高いと判定された場合により高い縮小率で縮小されたサムネイル画像をディスプレイ１０１上に表示する。そして、シフトキー１０３の操作によって入力される操作信号の入力頻度がより低い判定された場合には、より低い縮小率で縮小されたサムネイル画像をディスプレイ１０１上に表示する。
【００４０】
また、本実施形態の画像表示装置は、ページ移行タイマ３０３を備えている。ページ移行タイマ３０３は、キー入力間隔監視部３０２によって判定される入力頻度が所定の頻度に達した場合、この頻度で操作信号が連続して入力される時間を計時する連続入力時間計時手段として機能する。ページレイアウト部３０５は、操作信号の入力頻度に加えてページ移行タイマ３０３による計時時間が所定の時間に達した場合にディスプレイ１０１に表示されるサムネイル画像を変更することもできる。
【００４１】
また、本実施形態の画像表示装置は、サムネイル画像生成部３０４を備えている。サムネイル画像生成部３０４は、カードメディア２０８に保存されているページ画像に縮小を含む処理をしてサムネイル画像を生成するものである。本実施形態では、キー入力間隔監視部３０２がサムネイル画像生成部３０４を制御し、操作信号の入力頻度に基づいて縮小処理の縮小倍率を変更することも可能である。
【００４２】
また、カードメディア２０８のデータを読み込み可能な本実施形態の画像表示装置では、カードメディア２０８に保存されているサムネイル画像をページ画像と共に読み込むこともできる。このような場合、ページレイアウト部３０５は、保存されているサムネイル画像のうち、操作信号の入力頻度に対応する縮小率で縮小されたサムネイル画像を表示することによってディスプレイ１０１上に表示されるサムネイル画像を変更することも可能である。
【００４３】
さらに、本実施形態の画像表示装置は、カードメディア２０８を本体１０５に装着するためのカードコネクタ３０９、装着されたカードメディア２０８に保存されているデータを読み込むためのカードメディア制御部３０６、ページレイアウト部３０５の制御によってディスプレイ１０１に表示される一覧画面を書き替えるディスプレイ制御部３０７を備えている。
【００４４】
次に、以上述べた構成の動作について説明する。なお、本実施形態の画像表示装置は、上記したように、サムネイル画像生成部３０４を備えていて、サムネイル画像を生成することもカードメディア２０８から読み込むことも可能である。しかし、本実施形態では、説明の簡単のため、カードメディア２０８に予め保存されているサムネイル画像をカードメディア制御部３０６が読み込む。そして、ページレイアウト部３０３が、読み込まれたサムネイル画像から操作信号の入力頻度に応じた縮小倍率のサムネイル画像を選択してディスプレイ１０１に表示するものとして説明する。
【００４５】
本実施形態の画像表示装置では、ユーザがキーを操作して操作信号を入力した場合、入力信号は、キー入力受付部３０１からキー入力間隔監視部３０２に入力される。キー入力間隔監視部３０２は、キー入力間隔を、予め設定されているしきい値となる時間と比較する。そして、比較の結果によってページ移行判定タイマ３０３による計時を開始あるいは中止させ、さらにページレイアウト部３０５を制御して一覧画面のランクを変更させる。
【００４６】
図４は、キー入力間隔と一覧画面のランク変更との関係について説明するための図である。図４の縦軸は、キー入力間隔を示し、横軸は一覧画面のランク変更に係る時間を示している。また、縦軸中に示したＴcs、Ｔs1、Ｔs2、Ｔs3は、それぞれ一覧画面のランクを移行する際のキー入力間隔のしきい値であって、図示したように、Ｔcs＜Ｔs1＜Ｔｓ2＜Ｔｓ3の関係を有している。また、図中に符号４０１、４０２、４０３の符号を付して示した三角形の印は、いずれも一覧画面のランク移行のタイミングを示している。
【００４７】
なお、キー入力間隔のしきい値は、このように各々異なる値を設定するものに限定されるものではない。例えば、しきい値Ｔcs、Ｔs1、Ｔs2、Ｔs3のすべてを等しい時間に設定することも可能である。
また、図５は、ユーザの状態とキー入力間隔との関係について説明するための図であって、図５（ａ）は、ディスプレイ１０１の画面をランクＡの一覧画面に切替えるタイミング４０１を説明するための図である。また、（ｂ）は、ディスプレイ１０１の画面をランクBの一覧画面に切替えるタイミング４０２を説明するための図である。（ｃ）は、ディスプレイ１０１の画面をランクＣの一覧画面に切替えるタイミング４０３を説明するための図である。
【００４８】
図４に示した例では、ユーザは、操作開始直後は比較的長い時間間隔でキーを操作している（期間Ｐ1）が、やがてシフトキー１０３をより頻繁に操作するため、図示するように、より縦軸に示すキー入力間隔がより短くなる期間が生じる（期間Ｐ２）。キー入力間隔がしきい値Ｔs1以下である期間Ｐ２が移行判定期間Ｔｊに達したことにより、タイミング４０２は、ランクＡの一覧画面を表示する。なお、移行判定期間Ｔｊは、オペレータが誤って短い時間間隔でキーを操作したことによって意図しない一覧画面のランク変更が起きることを防ぐために設けられたものである。
【００４９】
このような理由を、図５（ａ）を用いて説明する。すなわち、ユーザは、１ページ目、２ページ目の一覧画像については画像のテキストや図表を読んでからシフトキー１０３を操作してキー入力し、ページを繰っている。そして、目的のページ画像がさらに後に表示されるページ画像であると判断すると、より頻繁にシフトキー１０３を操作する。このような場合、３ページ目以降のページ画像が表示されているときのキー入力間隔ｔ３、ｔ４等は、１ページ目、２ページ目が表示されていた期間のキー入力間隔ｔ１、ｔ２よりも短いものとなる。
【００５０】
また、本実施形態では、例えば、ランクＡの一覧画面の表示中、キー入力間隔がしきい値Ｔs2以上になり、かつ、キー入力間隔がしきい値Ｔs2以上である期間Ｐ５が移行判定期間Ｔｊに達したことにより、タイミング４０２で一覧画面をランクＢの一覧画面に切替えている。
この理由を、図５（ｂ）を用いて説明する。すなわち、目的のサムネイル画像が表示されている一覧画面が表示された場合、ユーザは、この一覧画面上の目的のサムネイル画像にカーソル１０９を合わせるためにシフトキー１０３を操作する。シフトキー１０３の操作は、カーソル１０９がサムネイル画像から遠い場合には比較的頻繁に行われる。
【００５１】
カーソル１０９がサムネイル画像に近づくと、ユーザは、カーソル１０９をサムネイル画像に正確に合わせるため、シフトキー１０３をゆっくり操作する傾向がある。このため、カーソル１０９が目的のサムネイル画像に近づくにつれてキー入力間隔は、ｔ５、ｔ６…の短い時間からｔ８、ｔ９…といった長い時間に変化する。
ところで、キー入力間隔のしきい値は、ユーザの操作の意図を推定するために設けられたものであって、例えば、キー入力間隔がしきい値ＴS2に達した以降、移行判定期間Ｔｊ維持されたことによってキー入力の頻度が低下したと判断できる。このため、移行判定期間Ｔｊの計時は、キー入力間隔がしきい値ＴS2より短い時間からしきい値ＴS2に達した場合に開始され、しきい値ＴS2より長い時間からしきい値ＴS2に達した場合にリセットされる必要がある。
【００５２】
本実施形態では、このような制御を実現するため、キー入力間隔が単にしきい値に達したか否ではなく、より短い時間からしきい値に達したか、より長い時間からしきい値に達したかを区別している。すなわち、図４に示した例では、期間Ｐ５においてキー入力間隔がより短い時間からしきい値ＴS2に達しているので、移行判定期間Ｔｊの計時が開始される。そして、開始された計時を、期間Ｐ５におけるキー入力間隔がしきい値ＴS2以下になったタイミング、または計時時間がＴｊに達したタイミングのいずれか早い方でリセットする。
【００５３】
なお、図４に示した例では、移行判定期間Ｔｊの計時開始からキー入力間隔がしきい値ＴS2以下になるまでに計時時間がＴｊに達するので、一覧画面の切り替が起こる。
また、本実施形態では、キー入力間隔監視部３０２が、サムネイル画像の表示開始またはサムネイル画像のランク変更後、所定の時間内はキー入力の頻度の判定を停止する。このような処理は、オリジナル画像等の他の画像から一覧画面へ表示される画像が切り替わったとき、または一覧画面のランクの切り替えがあったとき、ユーザが新たに表示された一覧画面から目的のサムネイル画像を検索するため一次的にキー操作の時間間隔が長くなった場合に詳細性がより高い一覧画面への切り替えが起こることを防ぐためである。
【００５４】
図４に示した例では、タイミング４０１において、一覧画面以外の画像からランクＡの一覧画面に表示が切替えられる。本実施形態では、一覧画面の切り替え直後にはキー入力間隔の監視を停止する期間である不感帯４００を設けている。
また、本実施形態では、ランクＢの一覧画面の表示中、キー入力間隔がしきい値Ｔs3以上になり、かつ、キー入力間隔がしきい値Ｔs3以上である期間Ｐ６が移行判定期間Ｔｊに達したことにより、タイミング４０３で一覧画面をランクＣの一覧画面に切替えている。
【００５５】
この理由を、図５（ｃ）を用いて説明する。すなわち、ユーザは、カーソル１０９をサムネイル画像に正確に合わせるため、カーソル１０９が目的のサムネイル画像に近づくに連れてシフトキー１０３をゆっくり操作する傾向がある。このため、キー入力間隔は、ｔ１１、ｔ１２…といった時間からより長いｔ１５、ｔ１６…に変化する。
なお、図５において、時間間隔ｔ１、ｔ２等を示す長さは、（ａ）、（ｂ）、（ｃ）の各々について独立であって、（ａ）で図示した長さ、（ｂ）で図示した長さ、（ｃ）で図示した長さが互いに相関を持つものではない。
【００５６】
さらに、本実施形態では、しきい値Ｔs1以下のしきい値Ｔcsを設定し、キー入力監視部３０２によってキー入力間隔がしきい値Ｔcs以下になったか否か判断している。しきい値Ｔcsは、一般的にユーザがディスプレイ１０１に表示された画像のテキストや図表を読むことなく次々とページめくりするような場合のキー入力間隔程度に設定される。
そして、しきい値Ｔcs以下のキー入力間隔によるキー操作が時間Ｔｃに達した場合、ランクＢ以上の一覧画面が表示されている場合にも、ユーザは再び目的のページを探してページを切替えているものと判断し、一覧画面をより一覧性の高いものに切替えている。
【００５７】
図６は、本実施形態の画像表示方法をコンピュータ実行させるためのプログラムのフローチャートである。本実施形態では、カードメディア２０８に文書データと共に文書データの各ページを示すサムネイル画像が保存されているものとする。また、本実施形態では、図２に示したレベルＡ、レベルＢ、レベルＣのすべてについてサムネイル画像が、予めカードメディア２０８に保存されていて、カードメディア２０８は、フラッシュメモリによって文書データ及びサムネイル画像を保存している。
【００５８】
また、図６のフローチャートは、操作頻度に応じた一覧画面のランク変更の処理についてのみ説明するものである。したがって、キー入力に応じてカーソル１０９の移動や一覧画面のページ切替えのための処理が並行に行われていることは言うまでもない。
図示したように、本実施形態の画像表示装置においては、先ず、キー入力受付部３０１が、文書データを読み込むための指示がなされたか否かを判定する（Ｓ５０１）。判定の結果、指示がされていない場合（Ｓ５０１：Ｎｏ）、指示がなされるまで待機する。
【００５９】
一方、文書データ読み込みの指示がなされた場合（Ｓ５０１：Ｙｅｓ）、データ読み込みの指示は、キー入力間隔監視部３０２、カードメディア制御部３０６及びディスプレイ制御部３０７に通知される。ディスプレイ制御部３０７は、通知を受けて１ページ目の画像を表示する（Ｓ５０２）。ステップＳ５０２で表示される画像は、必ずしも読み込まれた文書データのうちの１ページ目に限定されるものでなく、ユーザに対して画像表示装置が処理を実行中であることを示す画面であればどのような画像を表示するものであってもよい。
【００６０】
なお、本フローチャートは、ユーザのキー入力間隔によってサムネイル画像の表示状態を変更する処理についてのみ記したものであって、ステップＳ５０１のキー入力によって指示された文書データの読み込みは、他の処理によって実行される。また、本実施形態では、この際にカードメディア２０８に保存されているサムネイル画像も画像表示装置に読み込まれるものとする。
【００６１】
１ページ目の画像が表示されたとき、ユーザは、このページが閲覧の目的のページでない場合、目的のページが表示されるまでシフトキーを操作してキー入力し、ページを切替える。キー入力間隔監視部３０２は、ページ移行判定タイマ３０３をリセットした後、キー入力間隔の監視を開始する（Ｓ５０３）。監視の結果、キー入力間隔がしきい値ＴS1より長い時間からしきい値ＴS1に達した（キー入力間隔がより長い時間からしきい値に達したことを、以降しきい値を下回ったと記す）か否か判定する（Ｓ５０４）。キー入力間隔がしきい値Ｔs1を下回っていない場合（Ｓ５０４：Ｎｏ）、引き続きキー入力間隔の監視を継続する。そして、入力間隔がしきい値Ｔs1を下回ったと判定された場合（Ｓ５０４：Ｙｅｓ）、ページ移行判定タイマ３０３が、ページ移行判定期間の計測を開始する（Ｓ５０５）。
【００６２】
次に、キー入力監視部３０２は、キー入力間隔がしきい値Ｔs1より短い時間からしきい値Ｔs1に達した（キー入力間隔がより短い時間からしきい値に達したことを、以降しきい値を上回ったと記す）か否か監視する（Ｓ５０６）。そして、キー入力間隔がしきい値Ｔs1を上回っていない間（Ｓ５０６：Ｎｏ）、ぺージ移行判定タイマ３０３の計時結果に基づいて、移行判定期間が経過したか否か判定する（Ｓ５０７）。この結果、移行判定期間が経過していない場合（Ｓ５０７：Ｎｏ）、引き続きキー入力間隔を監視する。
【００６３】
また、ステップＳ５０６において、キー入力間隔がしきい値Ｔs1を上回ったと判定された場合（Ｓ５０６：Ｙｅｓ）、ぺージ移行判定タイマ３０３をリセットし、キー入力間隔の監視を続ける（Ｓ５０３）。
また、ステップＳ５０７において、移行判定期間が経過しと判定された場合（Ｓ５０７：Ｙｅｓ）、ディスプレイ制御部３０７が、図２に（１）として示したランクＡの一覧画面を表示する（Ｓ５０８）。そして、ユーザが予期しない一覧画面の変更を防ぐため、キー入力間隔監視部３０２は、不感帯時間の経過を待って（Ｓ５０９）、ぺージ移行判定タイマ３０３をリセットし、キー入力間隔の監視を再開する（Ｓ５１０）。
【００６４】
次に、キー入力受付部３０１は、サムネイル画像に対応するオリジナル画像の表示を指示するページ表示キー（本実施形態では決定キー１０４）が押下されたか否か判定する（Ｓ５１１）。判定の結果、決定キー１０４が押下された場合（Ｓ５１１：Ｙｅｓ）、ディスプレイ制御部３０７は、この時点でのカーソル１０９の位置を取得し、カーソル１０９の位置にあるサムネイル画像のオリジナル画像をディスプレイ１０１に表示する（Ｓ５３４）。
【００６５】
また、ステップＳ５１１において、決定キー１０４が押下されていないと判定された場合（Ｓ５１１：Ｎｏ）、キー入力間隔がしきい値Ｔs2を上回ったか否か判定する（Ｓ５１２）。この結果、キー入力間隔がしきい値Ｔs2を上回っていない場合（Ｓ５１２：Ｎｏ）、ぺージ移行判定タイマ３０３をリセットし、キー入力間隔の監視に戻る。
また、キー入力間隔がしきい値Ｔs2を上回った場合（Ｓ５１２：Ｙｅｓ）、ページ移行判定タイマ３０３は、サムネイル画像の倍率の移行判定期間の計測を開始する（Ｓ５１３）。そして、キー入力間隔監視部３０２は、キー入力間隔がしきい値Ｔs2を下回ったか否か判定する（Ｓ５１４）。この結果、キー入力間隔がしきい値Ｔs2を下回った場合（Ｓ５１４：Ｙｅｓ）、ぺージ移行判定タイマ３０３をリセットし、キー入力間隔の監視に戻る。
【００６６】
また、キー入力間隔監視部３０２は、キー入力間隔がしきい値Ｔs2を下回っていない場合（Ｓ５１４：Ｎｏ）、移行判定期間が経過したか否か判定する（Ｓ５１５）。移行判定期間が経過していない場合には（Ｓ５１５：Ｎｏ）、再びキー入力間隔がしきい値ＴS2を下回ったか判定する。そして、移行判定期間が経過した場合（Ｓ５１５：Ｙｅｓ）、ページレイアウト部３０５が、ランクＢの一覧画面を表示する（Ｓ５１６）。
【００６７】
さらに、キー入力間隔監視部３０２は、ぺージ移行判定タイマ３０３をリセットし、キー入力間隔を監視する（Ｓ５１７）。キー入力受付部３０１は、決定キー１０４が押下されたか否か判定する（Ｓ５１８）。そして、決定キー１０４が押下されたと判定された場合（Ｓ５１８：Ｙｅｓ）、カーソル１０９の位置にあるサムネイル画像のオリジナル画像がディスプレイ１０１に表示される（Ｓ５３４）。
【００６８】
また、決定キー１０４が押下されていないと判定された場合（Ｓ５１８：Ｎｏ）、キー入力間隔監視部３０２は、キー入力間隔がしきい値Ｔcsを下回ったか否か判定する（Ｓ５１９）。この結果、しきい値Ｔcsを下回っていない場合（Ｓ５１９：Ｎｏ）、ぺージ移行判定タイマ３０３をリセットし、キー入力間隔を監視する。また、しきい値Ｔcsを下回った場合（Ｓ５１９：Ｙｅｓ）、ページ移行判定タイマ３０３によるしきい値Ｔcs以下の間隔でキー入力が連続して行われる連続入力時間の計測を開始する（Ｓ５２０）。そして、連続入力時間がしきい値Ｔｃを上回った場合（Ｓ５２１：Ｙｅｓ）、ランクＡの一覧画面が表示される（Ｓ５０８）。
【００６９】
このような処理は、本実施形態が、所定の時間（時間Ｔｃ）以上連続してキー操作がされた場合にはユーザが表示したいオリジナル画像のサムネイル画像が未だ絞り込めない状態にあると解釈するためになされるものである。本実施形態では、ユーザがサムネイル画像を検索中である場合には一覧性がより高い一覧画面を表示し、より広い範囲からサムネイル画像を絞り込むことを可能にしている。
【００７０】
一方、ステップＳ５２１において、ページ移行判定タイマ３０３によって連続入力時間が時間Ｔｃを上回っていないと判定された場合（Ｓ５２１：Ｎｏ）、キー入力間隔監視部３０２は、キー入力間隔がしきい値Ｔs3を上回ったか否か判定する（Ｓ５２２）。そして、しきい値Ｔs3を上回っていないと判断された場合には、ぺージ移行判定タイマ３０３をリセットし、キー入力間隔を監視する。
【００７１】
一方、しきい値Ｔs3を上回ったと判定された場合（Ｓ５２２：Ｙｅｓ）、移行判定時間の計時を開始する（Ｓ５２３）。また、キー入力間隔監視部３０２は、この間にキー入力間隔がしきい値Ｔs3を下回ったか否か判定する（Ｓ５２４）。判定の結果、キー入力間隔がしきい値Ｔs3を下回った場合には（Ｓ５２４：Ｙｅｓ）、ぺージ移行判定タイマ３０３をリセットし、キー入力間隔を監視する。
【００７２】
また、ステップＳ５２４において、キー入力間隔がしきい値Ｔs3を下回っていないと判定された場合（Ｓ５２４：Ｎｏ）、移行判定期間が経過したか否か判定する（Ｓ５２５）。この結果、移行判定期間が経過するまではキー入力間隔がしきい値Ｔs3を下回ったか否か判定する。そして、移行判定期間が経過したと判定された場合（Ｓ５２５：Ｙｅｓ）、ページレイアウト部３０５は、より縮小率の低いサムネイル画像を表示するランクＣの一覧画面を表示する（Ｓ５２６）。
【００７３】
このような処理は、キー操作がされる時間間隔が長くなった場合、ユーザは、表示したいオリジナル画像のサムネイル画像をある程度絞り込んだため、注意を払ってサムネイル画像を閲覧していると解釈されると考えられるため行われる。本実施形態は、ユーザがサムネイル画像を選択しようとしている場合にはサムネイル画像の個々をより大きく表示し、サムネイル画像を選択しやすくすることができる。
【００７４】
次に、キー入力間隔監視部３０２は、ぺージ移行判定タイマ３０３をリセットし、キー入力間隔監視を続行する（Ｓ５２７）。そして、決定キー１０４が押下されたと判定した場合には（Ｓ５２８：Ｙｅｓ）、カーソル位置にあるサムネイル画像のオリジナル画像がディスプレイ１０１に表示される（Ｓ５３４）。
また、決定キー１０４が押下されない場合（Ｓ５２８：Ｎｏ）、キー入力間隔監視部３０２は、キー入力間隔がしきい値Ｔcsを下回っているか否か判定する（Ｓ５２９）。この結果、しきい値Ｔcsを下回っていない場合には（Ｓ５２９：Ｎｏ）、ページ移行判定タイマ３０３をリセットして再度キー入力間隔を監視する。また、しきい値Ｔcsを下回った場合（Ｓ５２９：Ｙｅｓ）、ページ移行判定タイマ３０３において連続入力時間の計測が開始される（Ｓ５３０）。そして、連続入力時間が時間Ｔｃ以上の時間を上回った場合（Ｓ５３１：Ｙｅｓ）、一覧性がより高いランクＢの一覧画面を表示する（Ｓ５１６）。
【００７５】
キー入力間隔が短くなった場合、ユーザは表示したいオリジナル画像のサムネイル画像をいったんは絞り込んだものの、再度検索範囲を広げてサムネイル画像を検索しているものと解釈されると考えられる。このため、本実施形態は、ユーザがサムネイル画像の検索範囲を広げたことに対応し、一覧画面表示の一覧性をより高めることを可能にしている。
なお、以上述べた本実施形態の画像表示方法をコンピュータに実行させるプログラムは、インストール可能な形式または実行可能な形式のファイルでＣＤ−ＲＯＭ、フロッピー（登録商標）ディスク（ＦＤ）、ＤＶＤ等のコンピュータで読み取り可能な記録媒体に記録されて提供される。また、本実施形態の画像表示方法をコンピュータに実行させるプログラムを、インターネット等のネットワークに接続されたコンピュータ上に格納し、ネットワーク経由でダウンロードさせることにより提供するように構成しても良い。
【００７６】
以上述べた本実施形態によれば、ユーザが頻繁にディスプレイを操作したことにより、ユーザの操作が未だ目的のサムネイル画像を絞り込める段階にないことを自動的に推定できる。また、ユーザの操作の頻度が低下したことにより、ユーザが目的のサムネイル画像を絞り込み、慎重にキーを操作していることが推定できる。そして、このような推定に基づいて、ディスプレイ画面に表示されるサムネイル画像を変更することによってユーザのキー操作に適したサムネイル画像をディスプレイ画面に表示することができる。
【図面の簡単な説明】
【００７７】
【図１】本発明一実施形態の画像表示装置の構成を説明するためのブロック図である。
【図２】電子ブックを例にしたサムネイル画像を説明するための図である。
【図３】本発明一実施形態の画像表示装置の構成を説明するための機能ブロック図である。
【図４】本発明の一実施形態のキー入力間隔と一覧画面のランク変更との関係について説明するための図である。
【図５】本発明の一実施形態のユーザの状態とキー入力間隔との関係について説明するための図である。
【図６】本実施形態の画像表示方法をコンピュータ実行させるためのプログラムのフローチャートである。
【符号の説明】
【００７８】
１０１  ディスプレイ、１０３  シフトキー、１０４  決定キー、１０５  本体、１０９  カーソル、２０８  カードメディア、３０１  キー入力受付部、３０２  キー入力間隔監視部、３０３  ページ移行判定タイマ、３０４  サムネイル画像生成部、３０５  ページレイアウト部、３０６  カードメディア制御部、３０７  ディスプレイ制御部、３０９  カードコネクタ
【図１】
2007025016.tif 000003
【図２】
2007025016.tif 000004
【図３】
2007025016.tif 000005
【図４】
2007025016.tif 000006
【図５】
2007025016.tif 000007
【図６】
2007025016.tif 000008